(57)【要約】      （修正有）【課題】冷蔵室の内部空間にビニールウォーターパックとバスケットからなる水供給部を収容、冷蔵し、直接出水することにより、冷水貯水部の汚染源を除去することができる殺菌機能を有する冷温水器を提供する。【解決手段】内部に水を貯蔵して供給する水供給部１４０と、水供給部を収容して水を冷却させる冷蔵室１２０と、水供給部から供給された水を加熱して貯蔵する温水桶１７０と、水供給部の水を出水して温水桶に供給されるように、冷蔵室１２０の底面に設置された出水アダプタ１５０と、冷蔵室の水を外部に出水させる冷水出水コック１６２と、温水桶の水を外部に出水させる温水出水コックと、冷水出水コックに繋がる冷水出水管１９４と、分配Ｔ管１９２と連結され、排水管１９７に繋がる温水桶給水管１９６と、温水桶給水管１９６の中間部に位置し、温水桶給水管と冷水出水管を殺菌するための加熱殺菌装置１８０と、を備える。【選択図】図２
2015006916.tif 000002
【特許請求の範囲】
【請求項１】
内部に水を貯蔵して供給する水供給部１４０と、
前記水供給部１４０を収容して水を冷却させる冷蔵室１２０と、
前記水供給部１４０から供給された水を加熱して貯蔵する温水桶１７０と、
前記水供給部１４０の水を出水して前記温水桶１７０に供給されるように、前記冷蔵室１２０の底面に設置された出水アダプタ１５０と、
前記冷蔵室１２０の水を外部に出水させる冷水出水コック１６２と、
前記温水桶１７０の水を外部に出水させる温水出水コック１６４と、
前記出水アダプタ１５０の下部に位置する分配Ｔ管１９２と、
前記温水桶１７０の下端と連結され、外部に繋がる排水管１９７と、
前記温水桶１７０の上端と連結され、外部に繋がる膨張管１９８と、
前記分配Ｔ管１９２と連結され、前記冷水出水コック１６２に繋がる冷水出水管１９４と、
前記分配Ｔ管１９２と連結され、前記排水管１９７に繋がる温水桶給水管１９６と、
前記温水桶給水管１９６の中間部に位置し、前記温水桶給水管１９６と前記冷水出水管１９４を殺菌するための加熱殺菌装置１８０と、を備えることを特徴とする殺菌機能を有する冷温水器。
【請求項２】
前記冷蔵室１２０が、前記水供給部１４０を二つ以上収容することを特徴とする請求項１に記載の殺菌機能を有する冷温水器。
【請求項３】
前記水供給部１４０が、ビニールウォーターパック１４６がバスケット１４２に収納されたＢＩＢ（Bag In Box）の形態からなり、
前記ビニールウォーターパック１４６が、一側に出口ポート１４６ａを有し、前記バスケット１４２が、前記出口ポート１４６ａを固定する固定クリップ１４２ｂを有することを特徴とする請求項１または２に記載の殺菌機能を有する冷温水器。
【発明の詳細な説明】
【技術分野】
【０００１】
本発明は、殺菌機能を有する冷温水器に関し、既存の冷水桶を除去し、冷蔵室の内部空間にビニールウォーターパックとバスケットからなる水供給部を収容、冷蔵し、直接出水することにより、冷水貯水部の汚染源を除去し、温水桶給水管の中間部に別途設置された加熱殺菌装置を通じて、温水桶給水管及び冷水出水管を殺菌することにより、衛生機能を強化することができる殺菌機能を有する冷温水器に関する。
【背景技術】
【０００２】
冷温水器は、水道管や生水桶から水を供給され、これを加熱または冷却させ、冷水及び温水を供給する装置をいうが、最近、水質汚染が増加することにより、さらに衛生的な冷温水器が切望されている。
【０００３】
冷温水器は、一般に、冷水及び温水を分離して供給するために、冷水桶と温水桶を別途に備えているが、温水桶の場合、温水桶内の加熱装置を通じて水を加熱することにより、細菌繁殖の恐れがないが、冷水桶及び冷水桶から外部に繋がる管の場合、温水桶と別途であって、長時間使用時、細菌が繁殖する危険が高い。
【０００４】
このような問題点を解決するための先行技術としては、特許文献１及び特許文献２等が開示されているが、大体、一般の冷温水器のように、冷水桶と温水桶を備え、ここにフィルタと循環ポンプをさらに設置し、殺菌（特許文献１参照）し、または温水桶の水を一定温度だけ加熱し、ポンプで温水を循環させることにより、殺菌（特許文献２参照）する方式を取っている。
【０００５】
しかしながら、特許文献１の場合、フィルタと循環ポンプを別途設置しなければならないので、その構造が複雑であり、循環ポンプが稼動していない場合は、冷水桶に汚染源が残存し、非衛生的であり得る。また、特許文献２の場合、温水桶の温水が冷水桶を始めとして内部の全体を循環するためには、通常、２０００ｃｃ以上の水が入っている冷水桶と水配管に入っている水を加熱循環しなければならず、殺菌が終わると、再冷却しなければならないので、長時間が必要であり、エネルギー消耗の多いという問題点があった。
【先行技術文献】
【特許文献】
【０００６】
【特許文献１】大韓民国登録特許第１０‐０９１９３１０号
【特許文献２】大韓民国登録特許第１０−１１９６３３５号
【特許文献３】大韓民国登録特許第１０−０７３５５１５号
【発明の概要】
【発明が解決しようとする課題】
【０００７】
本発明は、上記問題点に鑑みなされたものであり、その目的は、冷蔵室の内部空間にビニールウォーターパックとバスケットからなる水供給部を収容、冷蔵し、直接出水することにより、冷水貯水部の汚染源を除去することができる殺菌機能を有する冷温水器を提供することにある。
【０００８】
また、本発明の他の目的は、冷蔵室の内部に予備用水供給部を収容することにより、交替時も、時間をかけずに、冷水を供給することができる殺菌機能を有する冷温水器を提供することにある。
【０００９】
また、温水桶給水管の中間部に別途設置された加熱殺菌装置を通じて、温水桶給水管及び冷水出水管に入っている約２０ｃｃの水を加熱殺菌することにより、エネルギーを節約することができ、衛生機能を強化することができる殺菌機能を有する冷温水器を提供することにある。
【課題を解決するための手段】
【００１０】
上述した目的を達成するために、本発明による殺菌機能を有する冷温水器は、内部に水を貯蔵して供給する水供給部１４０と、前記水供給部１４０を収容して水を冷却させる冷蔵室１２０と、前記水供給部１４０から供給された水を加熱して貯蔵する温水桶１７０と、前記水供給部１４０の水を出水して前記温水桶１７０に供給されるように、前記冷蔵室１２０の底面に設置された出水アダプタ１５０と、前記冷蔵室１２０の水を外部に出水させる冷水出水コック１６２と、前記温水桶１７０の水を外部に出水させる温水出水コック１６４と、前記出水アダプタ１５０の下部に位置する分配Ｔ管１９２と、前記温水桶１７０の下端と連結され、外部に繋がる排水管１９７と、前記温水桶１７０の上端と連結され、外部に繋がる膨張管１９８と、前記分配Ｔ管１９２と連結され、前記冷水出水コック１６２に繋がる冷水出水管１９４と、前記分配Ｔ管１９２と連結され、前記排水管１９７に繋がる温水桶給水管１９６と、前記温水桶給水管１９６の中間部に位置し、前記温水桶給水管１９６と前記冷水出水管１９４を殺菌するための加熱殺菌装置１８０と、を備えることを特徴とする。
【００１１】
また、前記冷蔵室１２０は、前記水供給部１４０を二つ以上収容することを特徴とする。
【００１２】
また、前記水供給部１４０は、ビニールウォーターパック１４６がバスケット１４２に収納されたＢＩＢ（Bag In Box）の形態からなり、前記ビニールウォーターパック１４６は、一側に出口ポート１４６ａを有し、前記バスケット１４２は、前記出口ポート１４６ａを固定する固定クリップ１４２ｂを有することを特徴とする。
【発明の効果】
【００１３】
本発明によると、既存の冷水桶を除去し、冷蔵室の内部空間に水供給部を収容、冷蔵し、直接出水することにより、冷水貯水部の汚染源を除去することができる。
【００１４】
また、冷蔵室の内部に予備用水供給部を収容することにより、交替時も、時間をかけずに、冷水を供給することができる。
【００１５】
また、別途設置された加熱殺菌装置を通じて、温水桶給水管及び冷水出水管を殺菌することにより、衛生機能を強化することができる。
【図面の簡単な説明】
【００１６】
【図１】本発明の実施例による冷温水器の正面図である。
【図２】本発明の実施例による冷温水器の側面図である。
【図３】本発明の実施例による冷温水器の分解斜視図である。
【図４】本発明の実施例による冷温水器の平面図である。
【図５】図５（ａ）は、ビニールウォーターパックがバスケットに収納される過程を示す状態図であり、図５（ｂ）は、ビニールウォーターパックが収納されたバスケットの底面図である。
【図６】図６（ａ）は、出水アダプタを拡大した断面図であり、図６（ｂ）は、ビニールウォーターパックが収納されたバスケットが出水アダプタに装着される過程を示す状態図である。
【発明を実施するための形態】
【００１７】
以下、添付した図面に基づき、本発明の好適な実施例について詳述する。
【００１８】
図１は、本発明の実施例による冷温水器の正面図であり、図２は、本発明の実施例による冷温水器の側面図である。
図１及び図２を参照すると、殺菌機能を有する冷温水器１００（以下、「冷温水器」という）は、冷蔵室１２０、水供給部１４０、出水アダプタ１５０、分配Ｔ管１９２、温水桶１７０、加熱殺菌装置１８０、及び出水コック１６２、１６４を備える。
【００１９】
水供給部１４０は、バスケット１４２とビニールウォーターパック１４６を有し、ビニールウォーターパック１４６がバスケット１４２に収納されたＢＩＢ（Bag In Box）の形態からなる。また、水供給部１４０は、一つまたは二つ以上であってもよい。バスケット１４２とビニールウォーターパック１４６の構造については、図５（ａ）において具体的に説明する。
【００２０】
冷蔵室１２０は、外皮１２１と内皮１２２からなり、冷温水器１００の上部に位置する。内皮１２２と外皮１２１との間には、冷蔵室保温材１２４が設置され、冷蔵室上部ドア１２３により密閉されることにより、外部との熱交換が遮断される。ここで、保温材１２４は、ウレタンのように熱伝達率の低い断熱材からなることが好ましい。
【００２１】
内皮１２２の周囲には、冷却器１２６が設置され、冷媒が冷却器１２６の中で循環するようになる。その結果、冷却器１２６は、冷蔵室１２０の内部の熱を吸収して冷蔵室１２０及び水供給部１４０を冷却させる。
【００２２】
図１、図２に示すように、冷蔵室１２０の内部には、ビニールウォーターパック１４６とバスケット１４２からなる水供給部１４０が収容されるように、一定の空間が形成される。ここで、内部空間は、一つまたは二つ以上の水供給部１４０が収容されるように設計される。
【００２３】
本発明の構成によると、冷蔵室に二つ以上の水供給部１４０が収容され、第一の水供給部１４０のビニールウォーターパック１４６を用いる間、第二の水供給部１４０のビニールウォーターパック１４６を冷却させることにより、水供給部１４０の交換時も、時間をかけずに直ちに冷水を供給することができる。
【００２４】
また、従来、冷水桶を除去し、冷蔵室１２０の内部にビニールウォーターパック１４６とバスケット１４２からなる水供給部１４０を収容、冷蔵することにより、従来の冷水桶に水を、一定の期間、低水して使用することにより生じる汚染を防止することができる。
【００２５】
出水アダプタ１５０は、冷蔵室１２０の下端部に位置し、冷蔵室１２０に収容されたビニールウォーターパック１４６の水を下部に出水する役割をする。出水アダプタ１５０については、具体的に後述する。
【００２６】
分配Ｔ管１９２は、冷却されたビニールウォーターパック１４６の冷水を分配する役割をするが、具体的に出水アダプタ１５０と連結され、ビニールウォーターパック１４６の水を冷水出水コック１６２から外部に出水するとともに、温水桶１７０に水を供給するようになる。本発明による冷温水器１００では、冷水桶が除去されることにより、分配Ｔ管１９２が重要な役割を果たすようになる。
【００２７】
温水桶１７０は、内部または外部に設置された冷水桶加熱装置１７２を通じて、水を加熱、温水を貯蔵する役割をし、使用者は、温水出水コック１６４を操作することにより温水を供給されるようになる。
【００２８】
温水桶１７０の上端には、膨張管１９８が連結されるが、これを通じて、温水タンクの内部の圧力が調節される。一方、温水桶の下端には、外部に繋がる排水管１９７が連結され、排水管１９７は、平常は、開閉弁により密閉される。
【００２９】
加熱殺菌装置１８０は、分配Ｔ管１９２と排水管１９７を連結する温水桶給水管１９６の中間部に位置し、冷温水器１００の内部を殺菌する役割をする。
【００３０】
具体的に説明すると、加熱殺菌装置１８０を通じて温水桶給水管１９６内の水が加熱されると、分配Ｔ管１９２及び冷水出水管１９４内の水の温度も上昇し、これにより、温水桶給水管１９６から分配Ｔ管１９２を経て冷水出水コック１６２に至る管の内部に存在する細菌が撲滅される。
【００３１】
この際、加熱温度は、約８０℃とすることが好ましい。一方、温水桶１７０と温水出水管１９５は高温が維持されるので、別途に殺菌する必要はない。
【００３２】
本発明の構成によると、冷温水器は、出水時、ビニールウォーターパック内に空気が流入されないながら、水を冷蔵保管することができ、ビニールウォーターパックが全部消耗すると、新品に交替されるので、細菌繁殖の恐れがない。
【００３３】
また、単に、２０ｃｃ未満の管収容量を有する水配管を加熱殺菌する加熱殺菌装置１８０を設置することにより、短時間内に殺菌が可能であり、電力消耗を減らすことができる（従来の冷温水器は、２０００ｃｃ以上の容量の冷水桶を有しており、２０００ｃｃ以上の水と水配管を加熱殺菌し、再冷却しなければならないので、多くの時間とエネルギーが消耗するという問題点があった）。
【００３４】
図３は、本発明の一実施例による冷温水器の分解斜視図であり、図４は、本発明の実施例による冷温水器の平面図であり、図５（ａ）は、ビニールウォーターパックがバスケットに収納される過程を示す状態図であり、図５（ｂ）は、ビニールウォーターパックが収納されたバスケットの底面図である。
【００３５】
図３及び図４を参照すると、バスケット誘導部１２５は、冷蔵室１２０の内側の角領域に突出し、壁に沿って一定の長さだけ延設され、バスケット１４２が冷蔵室の内部に収容されるとき、バスケット１４２を一定の位置に誘導する役割をする。
【００３６】
一方、バスケット誘導部１２５の位置は角領域が好ましいが、場合によっては、側面部等の他の位置に形成されてもよい。
【００３７】
図５（ａ）の（イ）に示すように、ビニールウォーターパック１４６は下部に所定の大きさの出口ポート１４６ａが設けられている。
【００３８】
バスケット１４２は、側面に熱交換孔１４２ａが形成され、底面には、ポート挿入口１４２ｄと固定クリップ１４２ｂが設置される。
【００３９】
熱交換孔１４２ａは、ビニールウォーターパック１４６が収納されたバスケット１４２が冷蔵室１２０に挿入されたとき、貯蔵された水の冷却を円滑にするための役割をし、ポート挿入口１４２ｄは、ビニールウォーターパック１４６の出口ポート１４６ａを挿入するためのものであり、固定クリップ１４２ｂは、挿入された出口ポート１４６ａを固定する役割をする。
【００４０】
バスケット１４２は、直方体状に作製されることが一般であるが、場合によっては、円筒状になってもよく、バスケット１４２の大きさは、ビニールウォーターパック１４６の大きさに合わせて作製されることが好ましい。
【００４１】
図５（ａ）と図５（ｂ）を参照して、ビニールウォーターパック１４６がバスケット１４２に収納される過程を説明すると、ビニールウォーターパック１４６は、下部にある出口ポート１４６ａが、バスケット１４２の底面に位置したポート挿入口１４２ｄに挿入された後、固定クリップ１４２ｂにより、バスケット１４２に固定される。その結果、ビニールウォーターパック１４６は、バスケット１４２の内部において、ある程度流動的であるが、出水する箇所、すなわち、出口ポート１４６ａは、バスケット１４２に完全に固定され、安全に出水することができる。
【００４２】
バスケット蓋１４２ｃは、ビニールウォーターパック１４６が外部に露出しないように、蓋の役割をし、また、第一のバスケット１４２が冷蔵室に挿入された後、第二のバスケット１４２が挿入されるとき、バスケット１４２を支持する役割をする。
【００４３】
図６（ａ）は、出水アダプタを拡大した断面図であり、図６（ｂ）は、ビニールウォーターパックが収納されたバスケットが出水アダプタに装着される過程を示す状態図である。
【００４４】
出水アダプタ１５０は、アダプタパイプ１５２とアダプタ固定パッキン１５４を有し、アダプタパイプ１５２は、パイプ先端部１５２ａ、アダプタパッキン１５２ｂ、及びパイプ突出部
１５２ｃを有してなる。
【００４５】
図６（ａ）を参照すると、冷蔵室１２０の底面には、窪んだ溝が形成され、溝の中央には、内皮１２２と外皮１２１が折り曲げられてなるアダプタ連結孔が、内皮１２２と外皮１２１との間に形成される。
【００４６】
アダプタパイプ１５２の上端部は、パイプ突出部１５２ｃを有し、パイプ突出部１５２ｃは、アダプタ連結孔の周辺部の内皮１２２の上面に位置したアダプタ固定パッキン１５４に安着される。
【００４７】
一方、中間部の外部に雄ねじを形成し、固定ナット１５６により締め付けられることにより、冷蔵室１２０の底面部の外皮に密着、固定される。
【００４８】
パイプ先端部１５２ａは、尖った形状からなり、アダプタパイプ１５２がビニールウォーターパック１４６の出口ポート１４６ａに挿入されたとき、ビニールウォーターパック１４６の底面を開けることになる。その結果、ビニールウォーターパック１４６内の水は、アダプタパイプ１５２に自然に移動するようになる。ここで、パイプ先端部１５２ａは、ビニールウォーターパック１４６を容易に開けるために、尖った形状以外も、様々な変形された形態が可能である。
【００４９】
アダプタパッキン１５２ｂは、パイプ先端部１５２ａの下側に位置し、出口ポート１４６ａの内側面と接触し、密着面を形成する。その結果、アダプタパイプ１５２が出口ポート１４６ａに挿入されるとき、挿入過程での漏水を遮断することができる。
【００５０】
以上、添付した図面に基づき、本発明の好適な実施例について説明したが、上述した本発明の技術的構成は、本発明の属する技術の分野における通常の知識を有する者が、本発明の技術的思想や必須的特長を変更することなく、他の具体的な形態で実施され得ることを理解することができる。そのため、上述した実施例は、全ての面において例示的なものであり、限定的なものではないと理解されなければならず、本発明の範囲は、上記した詳細な説明よりは、後述する特許請求の範囲により定められ、特許請求の範囲の意味及び範囲、またその等価概念から導出される全ての変更または変形された形態が本発明の範囲に含まれるものと解釈されなければならない。
【符号の説明】
【００５１】
１００    冷温水器
１２０    冷蔵室
１２５    バスケット誘導部
１４０    水供給部
１４２    バスケット
１４６    ビニールウォーターパック
１５０    出水アダプタ
１７０    温水桶
１８０    加熱殺菌装置
１９２    分配Ｔ管
１９４    冷水出水管
１９６    温水桶給水管
【図１】
2015006916.tif 000003
【図２】
2015006916.tif 000004
【図３】
2015006916.tif 000005
【図４】
2015006916.tif 000006
【図５】
2015006916.tif 000007
【図６】
2015006916.tif 000008